(57)【特許請求の範囲】
【請求項１】
走行車の走行により前方に移動しながら耕耘作業をする農作業機であって、
前フレーム部および後フレーム部を有し、前記走行車に連結される機体と、
それぞれが左側方および右側方のいずれか一側方に向けて土を反転放てきする前反転板を有し、前記前フレーム部に並設された少なくとも２つの第１前作業体および第２前作業体と、
それぞれが左側方および右側方のいずれか他側方に向けて土を反転放てきする後反転板を有し、前記後フレーム部に並設された少なくとも２つの第１後作業体および第２後作業体とを備え、
前方視でそれぞれの前面同士が向き合うように互いに隣り合う前記第１前作業体の前反転板および前記第１後作業体の後反転板間の距離と、前方視でそれぞれの前面同士が向き合うように互いに隣り合う前記第２前作業体の前反転板および前記第２後作業体の後反転板間の距離とは、いずれも所定の長距離に設定され、
前方視でそれぞれの後面同士が向き合うように互いに隣り合う前記第１前作業体の前反転板および前記第２後作業体の後反転板間の距離は、前記所定の長距離よりも短い所定の短距離に設定されている
ことを特徴とする農作業機。
【請求項２】
第１前作業体および第２前作業体の少なくともいずれか一方は、前チゼルおよび左右対をなす前ウイングを有し、
第１後作業体および第２後作業体の少なくともいずれか一方は、後チゼルおよび左右対をなす後ウイングを有し、
前方視において、前記左右対をなす前ウイングのうち所定の短距離側に位置する前ウイングの左右方向長さ寸法が、前記左右対をなす前ウイングのうち所定の長距離側に位置する前ウイングの左右方向長さ寸法よりも短く、
前方視において、前記左右対をなす後ウイングのうち所定の短距離側に位置する後ウイングの左右方向長さ寸法が、前記左右対をなす後ウイングのうち所定の長距離側に位置する後ウイングの左右方向長さ寸法よりも短い
ことを特徴とする請求項１記載の農作業機。
【請求項３】
前ウイングの先端部が、前チゼルの先端部よりも下方に位置し、
後ウイングの先端部が、後チゼルの先端部よりも下方に位置する
ことを特徴とする請求項２記載の農作業機。
【請求項４】
前チゼルおよび後チゼルは、いずれも所定の長距離側に向かって下り傾斜している
ことを特徴とする請求項２または３記載の農作業機。
【発明の詳細な説明】
【技術分野】
【０００１】
本発明は、適切な耕耘作業ができる農作業機に関するものである。
【背景技術】
【０００２】
従来、例えば特許文献１に記載された粗耕起作業機等の農作業機が知られている。
【０００３】
この従来の農作業機は、例えば走行車であるトラクタの走行により前方に移動しながら、耕耘作業（粗起し作業）をするものである。そして、この従来の農作業機は、前フレーム部および後フレーム部を有しトラクタに連結される機体と、それぞれが左側方（進行方向左側方）に向けて土を反転放てきする前反転板を有する６つの前作業体と、それぞれが右側方（進行方向右側方）に向けて土を反転放てきする後反転板を有する６つの後作業体とを備えている。
【０００４】
また、６つの前作業体は機体の前フレーム部に左右方向に等間隔をおいて並設され、６つの後作業体は機体の後フレーム部に左右方向に等間隔をおいて並設されている。
【０００５】
そして、前方視でそれぞれの前面同士が向き合うように互いに隣り合う前作業体の前反転板および後作業体の後反転板間の距離と、前方視でそれぞれの後面同士が向き合うように互いに隣り合う前作業体の前反転板および後作業体の後反転板間の距離とが、互いに等しい距離に設定されている。
【先行技術文献】
【特許文献】
【０００６】
【特許文献１】特開２０１０−９４０３８号公報（図２および図３）
【発明の概要】
【発明が解決しようとする課題】
【０００７】
このため、上記従来の農作業機では、例えば前方視でそれぞれの前面同士が向き合うように互いに隣り合う前作業体の前反転板および後作業体の後反転板間の距離が短く設定される場合があり、このような場合には、土の反転性が悪くなり、適切な耕耘作業ができないおそれがある。
【０００８】
本発明は、このような点に鑑みなされたもので、適切な耕耘作業ができる農作業機を提供することを目的とする。
【課題を解決するための手段】
【０００９】
請求項１記載の農作業機は、走行車の走行により前方に移動しながら耕耘作業をする農作業機であって、前フレーム部および後フレーム部を有し、前記走行車に連結される機体と、それぞれが左側方および右側方のいずれか一側方に向けて土を反転放てきする前反転板を有し、前記前フレーム部に並設された少なくとも２つの第１前作業体および第２前作業体と、それぞれが左側方および右側方のいずれか他側方に向けて土を反転放てきする後反転板を有し、前記後フレーム部に並設された少なくとも２つの第１後作業体および第２後作業体とを備え、前方視でそれぞれの前面同士が向き合うように互いに隣り合う前記第１前作業体の前反転板および前記第１後作業体の後反転板間の距離と、前方視でそれぞれの前面同士が向き合うように互いに隣り合う前記第２前作業体の前反転板および前記第２後作業体の後反転板間の距離とは、いずれも所定の長距離に設定され、前方視でそれぞれの後面同士が向き合うように互いに隣り合う前記第１前作業体の前反転板および前記第２後作業体の後反転板間の距離は、前記所定の長距離よりも短い所定の短距離に設定されているものである。
【００１０】
請求項２記載の農作業機は、請求項１記載の農作業機において、第１前作業体および第２前作業体の少なくともいずれか一方は、前チゼルおよび左右対をなす前ウイングを有し、第１後作業体および第２後作業体の少なくともいずれか一方は、後チゼルおよび左右対をなす後ウイングを有し、前方視において、前記左右対をなす前ウイングのうち所定の短距離側に位置する前ウイングの左右方向長さ寸法が、前記左右対をなす前ウイングのうち所定の長距離側に位置する前ウイングの左右方向長さ寸法よりも短く、前方視において、前記左右対をなす後ウイングのうち所定の短距離側に位置する後ウイングの左右方向長さ寸法が、前記左右対をなす後ウイングのうち所定の長距離側に位置する後ウイングの左右方向長さ寸法よりも短いものである。
【００１１】
請求項３記載の農作業機は、請求項２記載の農作業機において、前ウイングの先端部が、前チゼルの先端部よりも下方に位置し、後ウイングの先端部が、後チゼルの先端部よりも下方に位置するものである。
【００１２】
請求項４記載の農作業機は、請求項２または３記載の農作業機において、前チゼルおよび後チゼルは、いずれも所定の長距離側に向かって下り傾斜しているものである。
【発明の効果】
【００１３】
本発明によれば、前反転板を有する少なくとも２つの第１前作業体および第２前作業体と、後反転板を有する少なくとも２つの第１後作業体および第２後作業体とを備え、前方視でそれぞれの前面同士が向き合うように互いに隣り合う第１前作業体の前反転板および第１後作業体の後反転板間の距離と前方視でそれぞれの前面同士が向き合うように互いに隣り合う第２前作業体の前反転板および第２後作業体の後反転板間の距離とはいずれも所定の長距離に設定され、前方視でそれぞれの後面同士が向き合うように互いに隣り合う第１前作業体の前反転板および第２後作業体の後反転板間の距離は所定の長距離よりも短い所定の短距離に設定された構成であるから、土の反転性が良好となり、適切な耕耘作業ができる。
【図面の簡単な説明】
【００１４】
【図１】本発明の一実施の形態に係る農作業機の前面図である。
【図２】同上農作業機の前方斜視図である。
【図３】同上農作業機の側方斜視図である。
【図４】同上農作業機の作業部の平面図である。
【図５】（ａ）は同上農作業機の後作業体の前面図であり、（ｂ）はその側面図である。
【図６】鎮圧輪の変形例の前面図である。
【発明を実施するための形態】
【００１５】
本発明の一実施の形態について図面を参照して説明する。
【００１６】
図１ないし図３において、１は農作業機で、この農作業機１は、走行車であるトラクタ（図示せず）の後部に連結され、トラクタの前進走行により水田や畑等の圃場を前方（進行方向）に移動しながら耕耘作業（粗起し作業）をする牽引式の粗起し用の耕耘作業機である。
【００１７】
農作業機１は、図示しないトラクタの後部の３点リンクヒッチ部（作業機昇降支持部）に脱着可能に連結される機体２を備えている。
【００１８】
機体２は、走行車連結部であるトラクタ連結部３を前部に有し、このトラクタ連結部３がトラクタの３点リンクヒッチ部に連結される。機体２は、互いに離間対向する左右１対のフレーム板部４を有している。両フレーム板部４には、前後に互いに平行な左右方向長手状で円筒状の前フレーム部６および後フレーム部７が設けられている。
【００１９】
前フレーム部６および後フレーム部７は、例えば同じ長さ寸法のフレームパイプにて構成されている。図２から明らかなように、前フレーム部６の長手方向端部である左端部（進行方向左端部）が左側のフレーム板部４から左側方に突出し、後フレーム部７の長手方向端部である右端部（進行方向右端部）が右側のフレーム板部４から右側方に突出している。
【００２０】
また、農作業機１は、図１ないし図４に示されるように、機体２の前フレーム部６に左右方向に等間隔（略等間隔を含む）をおいて並設され、耕耘作業時に圃場の土中に所定耕耘深さで差し込まれた状態で前方に移動しながら、圃場の土を切削して持ち上げて一側方である右側方に向けて反転放てきする右向きの複数の前作業体11a，11b，11c、すなわち例えば第１前作業体11a、第２前作業体11bおよび第３前作業体11cを備えている。
【００２１】
さらに、農作業機１は、機体２の後フレーム部７に左右方向に等間隔（略等間隔を含む）をおいて並設され、耕耘作業時に前作業体11a，11b，11cよりも後方の位置で圃場の土中に所定耕耘深さで差し込まれた状態で前方に移動しながら、圃場の土を切削して持ち上げて他側方である左側方に向けて反転放てきする左向きの複数の後作業体12a，12b，12c、すなわち例えば第１後作業体12a、第２後作業体12bおよび第３後作業体12cを備えている。
【００２２】
各作業体11a，11b，11c，12a，12b，12cの所定耕耘深さは、例えば１０ｃｍ〜１５ｃｍである。左右に隣り合う前作業体11a，11b，11c間の間隔と、左右に隣り合う後作業体12a，12b，12c間の間隔とが、互いに等しい距離（略等しい距離を含む）になっている（図４参照）。
【００２３】
第１前作業体11aは前フレーム部６の右端部に下方に向かって突設され、第２前作業体11bは前フレーム部６の左右方向中央部に下方に向かって突設され、第３前作業体11cは前フレーム部６の左端部に下方に向かって突設されている。また、第１後作業体12aは後フレーム部７の右端部に下方に向かって突設され、第２後作業体12bは後フレーム部７の左右方向中央部に下方に向かって突設され、第３後作業体12cは後フレーム部７の左端部に下方に向かって突設されている。
【００２４】
第１前作業体11a、第２前作業体11bおよび第３前作業体11cのそれぞれは、上端部が前フレーム部６に取り付けられた縦長板状のビーム等の前支持アーム13と、この前支持アーム13の前側の下端部に取付板17を介して取り付けられ圃場の土を切削して持ち上げる板状の先金等の前チゼル14と、前支持アーム13の前側の下端部近傍に取付板18を介して取り付けられ前チゼル14からの土を受け入れて圃場面上方まで持ち上げて左側方および右側方のいずれか一側方である右側方に向けて反転放てきする板状の前反転板15とを有している。
【００２５】
また、第１前作業体11aおよび第２前作業体11bのそれぞれは、前チゼル14の両側方部の後方で圃場の土を切削する長手板状の左右１対の前ウイング16を有している。これら両前ウイング16の各長手方向長さ寸法は互いに異なり、右側（進行方向右側）の前ウイング16の長手方向長さ寸法が左側（進行方向左側）の前ウイング16の長手方向長さ寸法よりも長くなっている。
【００２６】
短い方の左側の前ウイング16の基端部が、前支持アーム13の下端部の左面に取付板19を介して取り付けられている。同様に、長い方の右側の前ウイング16の基端部が、前支持アーム13の下端部の右面に取付板19を介して取り付けられている。そして、両前ウイング16は、平面視で略Ｖ字状をなすように配置されている（図４参照）。なお、農作業機１の左端に位置する第３前作業体11cは、第１前作業体11aおよび第２前作業体11bとは異なり、短い方の左側の前ウイング16を有していない。
【００２７】
また一方、第１後作業体12a、第２後作業体12bおよび第３後作業体12cのそれぞれは、上端部が後フレーム部７に取り付けられた縦長板状のビーム等の後支持アーム23と、この後支持アーム23の前側の下端部に取付板27を介して取り付けられ圃場の土を切削して持ち上げる板状の先金等の後チゼル24と、後支持アーム23の前側の下端部近傍に取付板29を介して取り付けられ後チゼル24からの土を受け入れて圃場面上方まで持ち上げて左側方および右側方のいずれか他端側である左側方に向けて反転放てきする板状の後反転板25とを有している。
【００２８】
また、第２後作業体12bおよび第３後作業体12cのそれぞれは、後チゼル24の両側方部の後方で圃場の土を切削する長手板状の左右１対の後ウイング26を有している。これら両後ウイング26の各長手方向長さ寸法は互いに異なり、左側（進行方向左側）の後ウイング26の長手方向長さ寸法が右側（進行方向右側）の後ウイング26の長手方向長さ寸法よりも長くなっている。
【００２９】
長い方の左側の後ウイング26の基端部が、後支持アーム23の下端部の左面に取付板29を介して取り付けられている。同様に、短い方の右側の後ウイング26の基端部が、後支持アーム23の下端部の右面に取付板29を介して取り付けられている。そして、両後ウイング26は、平面視で略Ｖ字状をなすように配置されている（図４参照）。なお、農作業機１の右端に位置する第１後作業体12aは、第２後作業体12bおよび第３後作業体12cとは異なり、短い方の右側の後ウイング26を有していない。
【００３０】
そして、図４から明らかなように、第１前作業体11aと第２前作業体11bとが同じものであり、第３前作業体11cは、短い方の前ウイング（短前ウイング）16を有しない点のみにおいて、それら２つの前作業体11a，11bと異なるものである。また、第２後作業体12bと第３後作業体12cとが同じものであり、第１後作業体12aは、短い方の後ウイング（短後ウイング）26を有しない点のみにおいて、それら２つの後作業体12b，12cと異なるものである。さらに、前作業体11a，11bと後作業体12b，12cとが左右対称となっており、前作業体11cと後作業体12aとが左右対称となっている。
【００３１】
そして、図１にも示されるように、この農作業機１では、前方視でそれぞれの前面同士が向き合うように互いに隣り合う第１前作業体11aの前反転板15および第１後作業体12aの後反転板25間の距離と、前方視でそれぞれの前面同士が向き合うように互いに隣り合う第２前作業体11bの前反転板15および第２後作業体12bの後反転板25間の距離と、前方視でそれぞれの前面同士が向き合うように互いに隣り合う第３前作業体11cの前反転板15および第３後作業体12cの後反転板25間の距離とは、いずれも所定の長距離Ａに設定されている。
【００３２】
また、この農作業機１では、前方視でそれぞれの後面同士が向き合うように互いに隣り合う第１前作業体11aの前反転板15および第２後作業体12bの後反転板25間の距離と、前方視でそれぞれの後面同士が向き合うように互いに隣り合う第２前作業体11bの前反転板15および第３後作業体12cの後反転板25間の距離とは、所定の長距離Ａよりも短い所定の短距離Ｂに設定されている。
【００３３】
つまり、前方視で互いに離間対向する前反転板15の前面（作業面）と後反転板25の前面（作業面）との間の距離（所定の長距離Ａ）が、前方視で互いに離間対向する前反転板15の後面（非作業面）と後反転板25の後面（非作業面）との間の距離（所定の短距離Ｂ）よりも長く、その結果、前方視（正面視）で前反転板15の前面と後反転板25の前面との間の空間部ａが、前反転板15の後面と後反転板25の後面との間の空間部ｂよりも広くなっている。
【００３４】
なお、所定の長距離Ａは、例えば３０ｃｍ〜４０ｃｍで、好ましくは３５ｃｍである。所定の短距離Ｂは、例えば２０ｃｍ〜３０ｃｍで、好ましくは２５ｃｍである。
【００３５】
ここで、図５（ａ）および（ｂ）を参照しつつ、第２後作業体12bの具体的構成について説明する。
【００３６】
第２後作業体12bは、前記のとおり、第３後作業体12cとは同じもので、後支持アーム23、後チゼル24、後反転板25および左右１対の後ウイング26等を有している。
【００３７】
後支持アーム23は、下端側が前方に向かうように湾曲した略く字状に形成されている。後チゼル24は、平面視で略３角形状（左右非対称の形状）のもので、平板状に形成されている。そして、後チゼル24は、前方に向かって徐々に下り傾斜し、かつ、後反転板25に対応するように所定の長距離Ａ側（後反転板25にて土が反転される側）に向かって徐々に下り傾斜している。
【００３８】
後反転板25は、略３角形状の切欠部10を有するもので、上端側が土を反転する側である左側を向くように曲げられた湾曲板状に形成されている。そして、後反転板25は、この後反転板25の下端側の上面と後チゼル24の上面とが同一面状になるように、前方に向かって徐々に下り傾斜している。
【００３９】
左右の各後ウイング26は、平面視で先端ほど幅が狭い略矩形状のもので、平板状に形成されている。各後ウイング26は、その基端部が後支持アーム23の下端部に取り付けられ、この後支持アーム23の下端部から後斜め側方に向かって突出している。そして、各後ウイング26は、基端部から先端部に向かって徐々に下り傾斜している。つまり、各後ウイング26は、先端ほど徐々に深くなっている。その結果、各後ウイング26の先端部（下端部）が、後チゼル24の先端部（下端部）よりも下方に位置している。
【００４０】
また、左右の各後ウイング26の長さは異なり、前方視において両後ウイング26のうち所定の短距離Ｂ側（後反転板25にて土が反転されない側）に位置する後ウイング26の左右方向長さ寸法が、前方視において両後ウイング26のうち所定の長距離Ａ側（後反転板25にて土が反転される側）に位置する後ウイング26の左右方向長さ寸法よりも短くなっている。
【００４１】
なお、後作業体12b，12cの具体的構成を説明したが、前記のとおり、前作業体11a，11bと後作業体12b，12cとが左右対称の構成であるため、前作業体11a，11bの具体的構成についての説明は省略する。なお、前作業体11a，11b，11cと後作業体12a，12b，12cとは、前方視で左右方向に交互に並んでおり、これら６つの作業体にて作業部５が構成されている。また、図１から明らかなように、前方視で互いに隣り合う前ウイング16の先端部と後ウイング26の先端部とが重なり合っている。
【００４２】
また一方、農作業機１は、図３に示されるように、機体２の両フレーム板部４の後端部に取り付けられ後作業体12a，12b，12cの後方で鎮圧作業をする鎮圧輪31を備えている。
【００４３】
鎮圧輪31は、機体２の両フレーム板部４の後端部に脱着可能に取り付けられた取付フレーム30を有している。
【００４４】
取付フレーム30の支持板部30aの下端部には、回転体32が回転可能に取り付けられている。そして、左右の両回転体32間には、左右方向長手状の複数本の鎮圧棒33が架設されている。
【００４５】
次に、前記農作業機１の作用等を説明する。
【００４６】
農作業機１を使用して耕耘作業（粗起し作業）をする場合、図示しないトラクタの後部に機体２のトラクタ連結部３を連結した後、トラクタの３点リンクヒッチ部の作動により農作業機１全体を下降させ、作業体11a，11b，11c，12a，12b，12cの下端側を圃場の土中に差し込む。
【００４７】
そして、トラクタの前進走行により農作業機１を前方に移動させると、前作業体11a，11b，11cが圃場の土を切削して持ち上げて右側方に向けて反転放てきし、後作業体12a，12b，12cが圃場の土を切削して持ち上げて左側方に向けて反転放てきする。
【００４８】
その結果、図１に示すように、前チゼル14からの切削土は、前反転板15にて案内されることにより、図示矢印方向に向かって反転放てきされるとともに、後チゼル24からの切削土は、後反転板25にて案内されることにより、図示矢印方向に向かって反転放てきされる。そして、その反転放てきされた切削土は、前方に移動しながら回転する鎮圧輪31にて鎮圧される。
【００４９】
そして、このような農作業機１によれば、前方視で互いに離間対向する前反転板15の前面と後反転板25の前面との間の距離である所定の長距離Ａが、前方視で互いに離間対向する前反転板15の後面と後反転板25の後面との間の距離である所定の短距離Ｂよりも長く、その結果、前方視で前反転板15の前面と後反転板25の前面との間の空間部ａが前反転板15の後面と後反転板25の後面との間の空間部ｂよりも広くなっているため、切削土の反転性が良好となり、適切な耕耘作業ができる。
【００５０】
また、前方視において所定の短距離Ｂ側に位置する前ウイング16の左右方向長さ寸法が所定の長距離Ａ側に位置する前ウイング16の左右方向長さ寸法よりも短く、前方視において所定の短距離Ｂ側に位置する後ウイング26の左右方向長さ寸法が所定の長距離Ａ側に位置する後ウイング26の左右方向長さ寸法よりも短い構成であるから、例えば前方視で互いに隣り合う前ウイング16と後ウイング26とが重なり合う無駄な部分を少なくでき、軽量化や材料費の低減等を図ることができる。
【００５１】
さらに、傾斜状の前ウイング16の先端部が傾斜状の前チゼル14の先端部よりも下方に位置し、傾斜状の後ウイング26の先端部が傾斜状の後チゼル24の先端部よりも下方に位置するため、耕耘作業の際にはウイング16，26の先端側が土の抵抗によって上方に撓むことで、ウイング16，26の先端部とチゼル14，24の先端部とが同じ深さ（略同じ深さを含む）となり、その結果、耕耘底面を平らにできる。
【００５２】
また、前チゼル14および後チゼル24はいずれも所定の長距離Ａ側である土反転側に向かって下り傾斜しているため、土の反転性をより一層良好となり、より一層適切な耕耘作業ができる。
【００５３】
なお、上記実施の形態では、３つの前作業体11a，11b，11cと３つの後作業体12a，12b，12cとを備えた構成について説明したが、少なくとも２つの前作業体11a，11bと少なくとも２つの後作業体12a，12bとを備えた構成であればよい。例えば図示しないが、４つ以上の前作業体と４つ以上の後作業体とを備えた構成等でもよい。
【００５４】
また、例えば土が付着しにくい合成樹脂板を金属製の反転板15，25の前面に脱着可能に取り付けるようにしてもよい。
【００５５】
さらに、図３に示す鎮圧輪31に代えて、図６に示す鎮圧輪31を機体２の両フレーム板部４の後端部に取り付けてもよい。この図６に示す鎮圧輪31の鎮圧棒33は、図３のものとは異なり、左右方向に対して傾斜状となっている。
【００５６】
また、機体２が有する前フレーム部６および後フレーム部７は、例えば機体２の幅寸法（機幅）と同じ長さ（略同じ長さを含む）にしてもよく、またその断面形状についても４角形或いは円形等、任意である。
【符号の説明】
【００５７】
１    農作業機
２    機体
６    前フレーム部
７    後フレーム部
11a   第１前作業体
11b   第２前作業体
12a   第１後作業体
12b   第２後作業体
14    前チゼル
15    前反転板
16    前ウイング
24    後チゼル
25    後反転板
26    後ウイング
Ａ    所定の長距離
Ｂ    所定の短距離
【図１】
0005687610.tif 000002
【図２】
0005687610.tif 000003
【図３】
0005687610.tif 000004
【図４】
0005687610.tif 000005
【図５】
0005687610.tif 000006
【図６】
0005687610.tif 000007